(57)【特許請求の範囲】
【請求項１】
メニュ画面の複数の選択可能な項目に選択又は非選択の状態を示すためにハイライトを重ね合わせて表示するＤＶＤビデオ規格の映像の処理を行う映像処理装置において、ＤＶＤビデオ規格の映像データから前記ハイライトを表わすハイライトデータを検索し、該ハイライトデータを解析して、表示画面を複数に分割してなる複数の表示領域のうち何れの表示領域に前記ハイライトが表示されるかを解析するハイライト解析手段と、所定のオンスクリーン表示データを解析して、前記複数の表示領域のうち何れかの表示領域に前記オンスクリーン表示がなされるかを解析するオンスクリーン表示解析手段と、前記ハイライト解析手段の解析と前記オンスクリーン表示解析手段の解析とに基づき、前記ハイライトと前記オンスクリーン表示とが重ならないように前記オンスクリーン表示の表示位置を制御するオンスクリーン表示制御手段とを備え、前記複数の表示領域には予め優先順位が設定され、前記オンスクリーン表示制御手段は、前記複数の表示領域毎に設定された優先順位に従って、前記ハイライト解析手段により解析されたハイライトが表示される表示領域と異なる表示領域に、前記オンスクリーン表示の表示位置を変更することを特徴とする映像処理装置。
【発明の詳細な説明】
【０００１】
【発明の属する技術分野】
本発明は、表示画面上において主映像等に重ね合わせて表示されるＯＳＤを制御するための映像処理装置、映像処理方法、及びＤＶＤビデオ装置に関する。
【０００２】
【従来の技術】
従来、ＤＶＤ−Ｖｉｄｅｏ（以下、「ＤＶＤビデオ」と呼ぶ。）を再生する際、該ＤＶＤビデオからＭＰＥＧ映像データと、サブピクチャデータと、ハイライトデータとを抽出し、ＭＰＥＧ映像及びサブピクチャからなるメインメニュ画面を表示画面上に表示させ、そのメインメニュ画面の複数の選択可能な項目にハイライトを重ねて表示可能なＤＶＤビデオ装置が実現されている。また、ＤＶＤビデオからではなく、テレビジョン放送信号から親画面用及び子画面用のテレビジョン映像信号と、キャプション信号とを受信し、親画面映像に子画面映像及びキャプションを重ね合わせて表示画面上に表示させるテレビジョン受像装置も実現されている。
例えば、ＤＶＤビデオ装置においてＭＰＥＧ映像の主映像が映画又はコンサート映像等の場合、当該ＤＶＤビデオ装置は、ＭＰＥＧ映像及びサブピクチャからなるメインメニュ画面の選択可能な項目であるチャプタ選択及び字幕選択等の項目に適宜ハイライトを重ね合わせて表示画面上に表示させる。また、このようなＤＶＤビデオ装置は、メインメニュ画面を表示中に、ユーザによる操作指示に応答してオンスクリーン表示（以下、「ＯＳＤ」と呼ぶ。）信号を受信すると、ハイライトが重ねられる複数の項目が表示されているメインメニュ画面上に、更にＯＳＤを重ねて表示画面上に表示させる。
【０００３】
【発明が解決しようとする課題】
上記ＤＶＤビデオ装置においては、ハイライトが重ねられる複数の項目が表示されているメインメニュ画面上に、更にＯＳＤを重ねて表示させる際、ＯＳＤの表示位置が固定されているため、ＯＳＤがメインメニュ画面のいずれかの項目と重なって表示されるという問題が生じていた。例えば、映画のメインメニュ画面上にチャプタ選択及び字幕選択等の項目が表示されている場合に、ユーザが出力音量を調節しようとすると、音量調節バーが、ハイライトが重ねられるいずれかの項目上に重なって表示され、ユーザが選択可能な項目を見づらくなる等の問題が生じていた。
同様に、上記テレビジョン受像装置においても、子画面用テレビジョン映像及びキャプションが表示されている親画面用テレビジョン映像上に、更にＯＳＤを重ねて表示させる際、ＯＳＤが子画面用テレビジョン映像又はキャプションと重なって表示されるという問題が生じていた。この問題を解決するための手段として、テレビジョン受像装置に関しては、特開平７−２７４１４０において、キャプションと重なることなくＯＳＤを表示画面上に表示させる技術が開示されている。
【０００４】
そこで、本発明の課題は、ＤＶＤビデオを再生中に、ＯＳＤをハイライトと重なることなく表示画面上に表示させることにより、ＯＳＤをメニュ画面の項目とも重なることなく表示画面上に表示させるための映像処理装置、映像処理方法、及びＤＶＤビデオ装置を提供することである。
【０００５】
【課題を解決するための手段】
本発明の映像処理装置は、メニュ画面の複数の選択可能な項目に選択又は非選択の状態を示すためにハイライトを重ね合わせて表示するＤＶＤビデオ規格の映像の処理を行う映像処理装置において、ＤＶＤビデオ規格の映像データから前記ハイライトを表わすハイライトデータを検索し、該ハイライトデータを解析して、表示画面上でのハイライトの表示位置を取得するハイライト解析手段と、所定のオンスクリーン表示データを解析して、前記表示画面上でのオンスクリーン表示の表示位置を取得するオンスクリーン表示解析手段と、前記ハイライト解析手段により取得されたハイライトの表示位置と前記オンスクリーン表示解析手段により取得されたオンスクリーン表示の表示位置とに基づき、前記ハイライトと前記オンスクリーン表示とが重ならないように前記オンスクリーン表示の表示位置を制御するオンスクリーン表示制御手段と、を備えることを特徴とする。
【０００６】
ここで、ＤＶＤビデオ規格の映像データのハイライトデータは、例えば、映画又は音楽映像作品等の主映像に関するメインメニュ画面において選択可能なメニュ項目の選択又は非選択の状態を示すハイライトの色、位置、形等を表すデータである。すなわち、ハイライトデータは、前記メインメニュ画面のメニュ項目の表示位置に重ねて表示されるハイライトの位置等を表すデータであり、文字を表すデータではない。また、オンスクリーン表示データは、出力音量の調節バー、各種映像の調節メニュ等のフォントデータ又は圧縮データ等である。
【０００７】
本発明の映像処理装置によれば、ハイライト解析手段により、ＤＶＤビデオ規格の映像データからハイライトデータを検索し、該ハイライトデータを解析して、表示画面上でのハイライトの表示位置を取得し、オンスクリーン表示解析手段により、所定のオンスクリーン表示データを解析して、前記表示画面上でのオンスクリーン表示の表示位置を取得し、オンスクリーン表示制御手段により、前記ハイライト解析手段により取得されたハイライトの表示位置と異なるように、前記オンスクリーン表示解析手段により取得されたオンスクリーン表示の表示位置を制御する。
【０００８】
また、本発明の映像処理方法は、メニュ画面の複数の選択可能な項目に選択又は非選択の状態を示すためにハイライトを重ね合わせて表示するＤＶＤビデオ規格の映像の処理を行う映像処理方法において、ＤＶＤビデオ規格の映像データから前記ハイライトを表わすハイライトデータを検索し、該ハイライトデータを解析して、表示画面上でのハイライトの表示位置を取得し、所定のオンスクリーン表示データを解析して、前記表示画面上でのオンスクリーン表示の表示位置を取得し、取得した前記ハイライトの表示位置と取得した前記オンスクリーン表示の表示位置とに基づき前記ハイライトが前記オンスクリーン表示と重ならないように前記オンスクリーン表示の表示位置を制御することを特徴とする。
【０００９】
したがって、上記映像処理装置又は映像処理方法によれば、ハイライトの位置データを有するハイライトデータを解析することにより、ハイライトが重ねられるメインメニュ画面のメニュ項目の文字データを有するＭＰＥＧ映像データ又はサブピクチャデータを解析するよりも遙かに容易に、メニュ項目と重なることなくオンスクリーン表示をメインメニュ画面上に表示することが可能になる。よって、映画のメインメニュ画面上にチャプタ選択又は字幕選択等のメニュ項目が表示されている場合に、音量調節バー等のオンスクリーン表示を表示しても、音量調節バーがメニュ項目に重なってユーザがメニュ項目を見づらくなることもなく、見やすい表示画面をより簡単な処理によりユーザに提供することが可能になる。
【００１０】
また、本発明の映像処理装置は、前記ハイライト解析手段は、表示画面を複数に分割してなる複数の表示領域のうち何れの表示領域にハイライトが表示されるかを解析してハイライトの表示位置を取得し、前記オンスクリーン表示解析手段は、前記複数の表示領域のうち何れの表示領域にオンスクリーン表示がなされるかを解析してオンスクリーン表示の表示位置を取得し、前記オンスクリーン表示制御手段は、前記ハイライトが表示される表示領域と異なる表示領域に、前記オンスクリーン表示の表示位置を変更するようにしたものである。
【００１１】
したがって、上記映像処理装置によれば、ハイライト及びオンスクリーン表示の表示位置をそれぞれ表示領域毎に取得し、オンスクリーン表示がハイライトに重ならないようにオンスクリーン表示の表示位置を表示領域毎に変更できるので、表示位置の取得処理及び変更処理をより容易に且つ早く実行することが可能になる。よって、ハイライトが重ねられるメニュ項目を有するメインメニュ画面上にオンスクリーン表示を頻繁に表示する場合であっても、迅速にオンスクリーン表示の表示位置を設定することができ、常に見やすい表示画面をユーザに提供することが可能になる。
【００１２】
さらに、本発明の映像処理装置は、前記複数の表示領域には予め或いは表示される対象に応じて優先順位が対応付けられ、前記オンスクリーン表示制御手段は、前記複数の表示領域にそれぞれ対応付けられた優先順位に従って、前記ハイライトの表示領域と異なる表示領域に、前記オンスクリーン表示の表示領域を変更するようにしたものである。
【００１３】
したがって、上記映像処理装置によれば、表示画面上の複数の表示領域に対して、ハイライトが表示される頻度等を表示領域毎に考慮して予め優先順位を付けておくことにより、オンスクリーン表示がハイライトに重ならないように、つまり、オンスクリーン表示がメインメニュ画面のメニュ項目に重ならないように、オンスクリーン表示の表示領域をより容易に且つ早く変更することができる。
【００１４】
また、本発明のＤＶＤビデオ装置は、
ＤＶＤビデオ規格の映像及び音声データをデコードして映像信号及び音声信号を生成するデコーダと、
前記映像信号に基づく各種映像を表示画面上の所定位置に表示する映像表示手段と、
前記音声信号に基づく各種音声を出力する音声出力手段と、
上記の映像処理装置と、
前記オンスクリーン表示を前記映像信号に基づく各種映像に重ね合わせながら、前記オンスクリーン表示制御手段により制御された前記表示画面上の表示位置にオンスクリーン表示を表示するオンスクリーン表示手段と、
を備えることを特徴とする。
【００１５】
したがって、上記ＤＶＤビデオ装置によれば、ハイライトの位置データを有するハイライトデータを解析することにより、ハイライトが重ねられるメインメニュ画面のメニュ項目の文字データを有するＭＰＥＧ映像データ又はサブピクチャデータを解析するよりも遙かに容易に、メニュ項目と重なることなくオンスクリーン表示をメインメニュ画面上に表示することが可能になる。よって、見やすい表示画面をより簡単な処理によりユーザに提供することが可能になる。
【００１６】
【発明の実施の形態】
以下、本発明を好適に適用した実施形態におけるＤＶＤ（Digital Versatile Disc）プレーヤ１について、図１〜５を参照して説明する。
本実施形態のＤＶＤプレーヤ１は、ＤＶＤビデオ規格の映像及び音声データをデコードして映像信号及び音声信号を生成するとともに、前記映像データからハイライトデータを検索して解析し、表示画面上でのハイライトの表示位置を取得する。また、ＤＶＤプレーヤ１は、所定のオンスクリーン表示（On Screen Display；以下、「ＯＳＤ」と呼ぶ。）データを解析して、前記表示画面上でのＯＳＤの表示位置を取得する。そして、ＤＶＤプレーヤ１は、前記ハイライトの表示位置と前記ＯＳＤの表示位置とに基づいて、前記表示画面上においてＯＳＤがハイライトと異なる位置に表示されるようにＯＳＤの表示位置を制御し、メインメニュ画面上においてＯＳＤがメニュ項目に重ならないようにＯＳＤの表示位置を制御する。そして、ＤＶＤプレーヤ１は、前記ＯＳＤを前記映像信号に基づくメニュ項目等の各種映像に重ね合わせながら、制御された表示画面上の表示位置に表示するとともに、前記音声信号に基づく各種音声を出力する。
【００１７】
まず、本発明の実施形態におけるＤＶＤプレーヤ１の全体構成について、図１を参照して説明する。図１は、ＤＶＤプレーヤ１の全体構成の概略を示すブロック図である。
本実施形態のＤＶＤプレーヤ１は、ＤＶＤビデオ規格に準じて映画又は音楽映像作品及びそれに関するメインメニュ画面等を再生可能な装置である。また、このＤＶＤプレーヤ１は、出力音量の調節バー、各種映像の調節メニュ等のＯＳＤを主映像等の上に重ねて表示するＯＳＤ機能を備えている。
【００１８】
図１に示すように、本実施形態のＤＶＤプレーヤ１は、チューナ１０と、ビデオコンバータ１１と、ＤＡコンバータ１２と、ＡＶデコーダ１３と、ＳＤＲＡＭ１４と、ＡＴＡＰＩ１５と、ＳＤＲＡＭ１６と、ディスクドライブ１７とを有する映像及び音声のデータ処理系ブロックを備える。更に、ＤＶＤプレーヤ１は、主制御部１８と、フラッシュメモリ１９と、ＥＥＰＲＯＭ２０と、副制御部２１と、操作キー２２と、受光部２３と、表示部２４とを備える。
【００１９】
チューナ１０は、アンテナが受信した信号の中から好ましい信号を選択し、選択した信号を後述するＡＴＡＰＩ１５に出力する。
ビデオコンバータ１１は、後述するＡＶデコーダ１３から出力されたＲＧＢビデオ信号を所定形式の輝度信号と色信号とに変換し、ビデオ出力端末に出力する。
ＤＡコンバータ（以下、「ＤＡＣ」と呼ぶ。）１２は、後述するＡＶデコーダ１３から出力されたデジタルオーディオ信号をアナログオーディオ信号に変換し、オーディオ出力端末に出力する。
なお、前記ビデオ出力端末及び前記オーディオ出力端末は、テレビジョン等の映像表示装置（図示省略）に接続されており、前記輝度信号と前記色信号とに基づいて映像表示装置の表示画面に各種映像が表示され、前記アナログオーディオ信号に基づいて映像表示装置のスピーカから各種音声が出力される。
【００２０】
ＡＶデコーダ１３は、後述するディスクドライブ１７によって読み出されたＤＶＤビデオ規格の映像及び音声データをＡＴＡＰＩ１５を介して受信する。ＤＶＤビデオ規格の映像データは、映画又は音楽映像作品等の主映像及び主映像に関するメインメニュ画面等がＭＰＥＧにより圧縮されたＭＰＥＧ主映像データと、各種文字等が位置情報とともにランレングスコードで表されているサブピクチャデータと、メインメニュ画面の選択可能なメニュ項目の選択又は非選択の状態を示すハイライトの色、位置、形等を表すハイライトデータとを含んでいる。なお、メインメニュ画面の選択可能なメニュ項目の文字等は、ＭＰＥＧにより圧縮されてＭＰＥＧ主映像データに変換されてもよいし、ランレングスコードで表されてサブピクチャデータに変換されてもよい。よって、ハイライトデータは、メインメニュ画面の選択可能なメニュ項目の文字等がＭＰＥＧ主映像データであってもサブピクチャデータであっても、メインメニュ画面のメニュ項目の表示位置と一致するハイライトの位置等のデータを有しており、文字を表すデータは有していない。
そして、ＡＶデコーダ１３は、それら映像及び音声データに対してデコード処理等を行い、ＭＰＥＧ主映像、サブピクチャ、及びハイライトを表示するためのＲＧＢビデオ信号と、ＰＣＭ（Pulse Code Modulation）形式のオーディオ信号とを生成する。
【００２１】
さらに、ＡＶデコーダ１３は、後述する主制御部１８の制御に基づき、ＯＳＤの表示指示を受信すると、フラッシュメモリ１９に格納されている出力音量の調節バー、又は各種映像の調節メニュ等のフォントデータ又は圧縮データ等のＯＳＤデータに対してデコード処理等を行い、ＯＳＤを表示するためのＲＧＢビデオ信号を生成する。なお、詳細については後述するが、前記生成されたＲＧＢビデオ信号に基づいてそのままメインメニュ画面のメニュ項目及びＯＳＤが映像表示装置の表示画面上に表示されるとＯＳＤがメニュ項目に重なってしまう場合（図４参照）であっても、メニュ項目に重ねられるハイライトとＯＳＤとが重ならないように主制御部１８がＯＳＤの表示位置を設定するので、ＡＶデコーダ１３は、ハイライトと重ならないように、つまり、メインメニュ画面のメニュ項目と重ならないようにＯＳＤを表示するためのＲＧＢビデオ信号を生成する。
【００２２】
そして、ＡＶデコーダ１３は、ＲＧＢビデオ信号を生成すると、生成されたＲＧＢビデオ信号をビデオコンバータ１１に、デジタルオーディオ信号をＤＡＣ１２に、それぞれ出力する。したがって、前記ビデオコンバータ１１がＲＧＢビデオ信号を受信し、そのＲＧＢビデオ信号を所定形式の輝度信号と色信号とに変換してビデオ出力端末に出力すると、ＤＶＤプレーヤ１にビデオ出力端末及びオーディオ出力端末を介して接続されている映像表示装置の表示画面に、図２に示すようなＭＰＥＧ主映像、サブピクチャ、ハイライト、及びＯＳＤの順に各種映像が表示される。
【００２３】
図２は、ＤＶＤプレーヤ１に接続される映像表示装置の表示画面に表示されるデータを模式的に示した図である。
図２に示すように、ユーザから見ると、輝度信号及び色信号に基づいて、まずＭＰＥＧ主映像が表示画面に表示され、次にＭＰＥＧ主映像の上にサブピクチャが表示され、次にサブピクチャの上にハイライトが表示され、そして、ＯＳＤがある場合、サブピクチャの上にＯＳＤが表示される。したがって、ＭＰＥＧ主映像又はサブピクチャであるメインメニュ画面のメニュ項目の上に重ねられるハイライトの表示位置とＯＳＤの表示位置とが重なっている場合、ＯＳＤが重なっているハイライトの表示位置にあるメニュ項目の一部がＯＳＤにより見えなくなるという場合が生じるのである。
【００２４】
ＳＤＲＡＭ（Synchronous Dynamic Random Access Memory）１４は、ＡＶデコーダ１３が各種デコード処理を行う際に使用される作業用メモリである。
【００２５】
ＡＴＡＰＩ（AT Attachment Pachet Interface）１５は、後述する主制御部１８の制御に基づき、ＤＶＤビデオＤ１からデータを読み出すように指示するコマンドをディスクドライブ１７に出力し、ディスクドライブ１７によってＤＶＤビデオＤ１から読み出されたデータをディスクドライブ１７から読み出し、そのデータをＡＶデコーダ１３に転送する。
ＳＤＲＡＭ１６は、ＡＴＡＰＩ１５がディスクドライブ１７からデータを読み出す際に使用される作業用メモリである。
ディスクドライブ１７は、ＤＶＤビデオＤ１を回転させるディスクモータ１７ａと、回転しているＤＶＤビデオＤ１からデータを読み書きするヘッド部１７ｂとを有している。
【００２６】
主制御部１８は、主に前記映像及び音声のデータ処理系ブロックの制御を行う。すなわち、主制御部１８は、ＡＴＡＰＩ１５がディスクドライブ１７からＤＶＤビデオＤ１の映像及び音声データを読み出してＡＶデコーダ１３に転送するように、ＡＴＡＰＩ１５を制御する。また、主制御部１８は、ＡＶデコーダ１３が前記映像及び音声データに対してデコード処理を行ってＭＰＥＧ主映像、サブピクチャ、及びハイライトを表示するためのＲＧＢビデオ信号と、オーディオ信号とを生成するように、ＡＶデコーダ１３を制御する。
【００２７】
さらに、主制御部１８は、後述する副制御部２１を介してユーザのＯＳＤの操作指示を受信し、前記映像及び音声データ中にメインメニュ画面のメニュ項目に関するデータが含まれていると判断すると、図３に示すような表示領域毎にメニュ項目に重ねられるハイライトの表示位置を解析する。すなわち、主制御部１８は、ハイライトの表示位置を解析することにより、ハイライトが重ねられるメニュ項目の文字の表示位置を推測することができる。また、主制御部１８は、フラッシュメモリ１９からＯＳＤデータを読み出し、ハイライトの表示位置を解析する場合と同様に、図３に示すような表示領域毎にＯＳＤの表示位置を解析する。そして、主制御部１８は、ハイライト及びＯＳＤの表示位置を解析した結果、図４に示すようにＯＳＤがハイライトに重なると判断すると、ハイライトが重ねられているメニュ項目にＯＳＤが重なると推測可能なので、ＯＳＤがハイライトに重ならないように、図３に示すような各表示領域に対して予め決定されている優先順位に従って、表示領域毎にＯＳＤの表示位置を設定する。そして、主制御部１８は、ＡＶデコーダ１３が前記ＯＳＤの表示位置に基づいてＯＳＤデータに対してデコード処理を行ってＯＳＤを表示するためのＲＧＢビデオ信号を生成するように、ＡＶデコーダ１３を制御する。
【００２８】
図３は、ＤＶＤプレーヤ１に接続された映像表示装置の表示画面２が複数の表示領域に分割されている画面例である。
図３に示すように、本実施形態において、ＤＶＤプレーヤ１によって生成された各種映像を表示する映像表示装置の表示画面２は、各表示対象の表示位置を解析し易くするために９つの表示領域に分割されており、それぞれの表示領域には、２−１〜２−９のいずれかの番号が対応付けられている。そして、上述したように、主制御部１８は、ハイライトが重ねられるメインメニュ画面のメニュ項目の表示位置を推測するために、ハイライトが表示画面２のどの表示領域にあるのかを解析する。同様に、主制御部１８は、ＯＳＤの表示位置を解析するために、ＯＳＤが表示画面２のどの表示領域にあるのかを解析する。
また、表示画面２のそれぞれの表示領域には、ＯＳＤの表示位置を設定し易くするために優先順位が予め対応付けられている。例えば、表示領域２−９には最も高い優先順位が付けられており、表示領域２−３には２番目に高い優先順位が付けられており、表示領域２−６には３番目に高い優先順位が付けられている。
【００２９】
本実施形態においては、映像表示装置の表示画面２を９つの表示領域に分割し、この分割表示領域毎に各表示対象の表示位置を解析することとして説明したが、表示画面２をより少ない表示領域に分割してもよいし、より多くの表示領域に分割してもよい。また、本実施形態においては、表示領域２−９に最も高い優先順位を付け、表示領域２−３に次に高い優先順位を付け、表示領域２−６に次に高い優先順位を付けることとして説明したが、表示される対象に応じて各表示領域に優先順位を付けてもよい。
【００３０】
図４は、メインメニュ画面のメニュ項目、ハイライト及びＯＳＤが映像表示装置の表示画面２に表示されている画面例である。
図４に示すように、主制御部１８は、メインメニュ画面「Main Menu」が表示されている表示画面２にメニュ項目である「１．チャプタを選択する」、「２．字幕を選択する」、「３．・・・」、及び「４．・・・」を表示し、これらメニュ項目の表示位置にハイライトＨＬ１、ＨＬ２、ＨＬ３、及びＨＬ４をそれぞれ重ねて表示可能な場合、ハイライトＨＬ１〜４の表示位置を表示領域２−４〜２−９と解析する。また、主制御部１８は、表示画面２において最も優先順位が高い表示領域２−９にＯＳＤであるＯＳＤ１を表示しようとする場合、ＯＳＤ１がハイライトＨＬ３及びＨＬ４に重なると判断して、ＯＳＤ１がメニュ項目「３．・・・」及び「４．・・・」に重なると推測し、表示領域２−９の次に優先順位が高い表示領域２−３にＯＳＤ２としてＯＳＤを表示するように、ＯＳＤの表示位置を設定する。したがって、表示画面２のメインメニュ画面上において、ハイライトＨＬ１〜４が表示領域２−４〜２−９に表示可能であり、ＯＳＤ２が表示領域２−３に表示されるので、ＯＳＤ２がハイライトＨＬ１〜４に重ならず、ユーザはハイライトが重ねられるメニュ項目及びＯＳＤの全部分を見ることができる。
【００３１】
図１に示すフラッシュメモリ１９は、出力音量の調節バー、各種映像の調節のメニュ等を表示するＯＳＤ機能において使用されるフォントデータ又は圧縮データ等のＯＳＤデータを格納している。そして、フラッシュメモリ１９は、主制御部１８の制御に基づき、格納しているＯＳＤデータをＡＶデコーダ１３に出力する。
ＥＥＰＲＯＭ（Electrically Erasable and Programmable Rom）２０は、各種設定データを保存している。
【００３２】
副制御部２１は、主制御部１８の制御に基づき、チューナ１０による信号選択、並びに、後述する操作キー２２及び表示部２４を備える操作パネル（図示省略）からの操作信号の入力及び操作パネルへの表示信号の出力等を制御する。
操作キー２２は、操作パネル上に設けられ、ユーザにより操作可能な各種操作キーを備えている。そして、操作キー２２は、ユーザにより当該操作キー２２の中のいずれかの操作キーが操作されると、操作された操作キーに対応する操作信号を発信する。
受光部２３は、ユーザにより操作キー２２が操作されることにより発信される操作信号を受信して、副制御部２１に出力する。
表示部２４は、操作パネル上に設けられ、副制御部２１が操作信号に応じて出力した表示信号を受信すると、受信された表示信号に基づいて動作内容等を表示する。
【００３３】
次に、本実施形態においてＤＶＤプレーヤ１により実行されるＯＳＤの表示位置制御処理について、図５に示すフローチャートに従って説明する。
図５に示すように、ＤＶＤプレーヤ１の主制御部１８は、ＯＳＤの表示位置制御処理を開始すると、ディスクドライブ１７によって読み出されたＤＶＤビデオＤ１の映像データ内におけるメインメニュ画面のメニュ項目に関するデータ量を取得し、メインメニュ画面のメニュ項目の総数をチェックする（ステップＳ１０１）。そして、主制御部１８は、メインメニュ画面のメニュ項目の総数をチェックした結果に基づいて、ＤＶＤビデオＤ１の映像データ内に、表示可能なメインメニュ画面のメニュ項目があるか否かを判別する（ステップＳ１０２）。
【００３４】
主制御部１８は、ＤＶＤビデオＤ１の映像データ内に、表示可能なメインメニュ画面のメニュ項目があると判断すると（ステップＳ１０２；ＹＥＳ）、メインメニュ画面においてメニュ項目とＯＳＤとが重なる可能性があるので、ＤＶＤビデオＤ１の映像データからメニュ項目に重ねられるハイライトデータを検索し、そのハイライトデータ解析して、ハイライトが表示される表示位置情報を取得する（ステップＳ１０３）。そして、主制御部１８は、現在、表示画面上にメインメニュ画面のメニュ項目を表示しているか否かを判別する（ステップＳ１０４）。
【００３５】
そして、主制御部１８は、表示画面上にメインメニュ画面のメニュ項目を表示していると判断すると（ステップＳ１０４；ＹＥＳ）、ステップＳ１０３において取得されたハイライトの表示位置情報に基づいて、ＯＳＤがハイライトに重なることなく表示されるように、すなわち、ＯＳＤがメインメニュ画面のメニュ項目と重なることなく表示されるように、ＯＳＤの表示位置を設定する（ステップＳ１０５）。それから、主制御部１８は、表示画面上のメインメニュ画面に、メニュ項目及びハイライトとともに、ＯＳＤを設定された表示位置に表示して、本ＯＳＤ表示位置制御処理を終了する。
【００３６】
一方、主制御部１８は、ステップＳ１０２において、ＤＶＤビデオＤ１の映像データ内に、表示可能なメインメニュ画面のメニュ項目がないと判断する（ステップＳ１０２；ＮＯ）、又は、ステップＳ１０４において、表示画面上にメインメニュ画面のメニュ項目を表示していないと判断すると（ステップＳ１０４；ＮＯ）、メインメニュ画面においてＯＳＤを表示してもメニュ項目とＯＳＤとが重なる可能性がないので、ハイライトの表示位置情報に基づいてＯＳＤの表示位置を設定することなく、表示画面上のＯＳＤをそのまま表示して、本ＯＳＤ表示位置制御処理を終了する。
【００３７】
以上のように、本実施形態のＤＶＤプレーヤ１によれば、ハイライトの表示位置に基づいてＯＳＤの表示位置を設定するので、ＯＳＤがハイライトに重ならないように、つまり、ハイライトが重ねられるメインメニュ画面のメニュ項目にＯＳＤが重ならないように、ＯＳＤを表示画面上に表示することができる。
【００３８】
なお、本発明は、上記実施の形態の内容に限られるものではなく、本発明の趣旨を逸脱しない範囲で適宜変更可能である。
【００３９】
【発明の効果】
本発明の映像処理装置又は映像処理方法によれば、ハイライトの位置データを有するハイライトデータを解析することにより、ハイライトが重ねられるメインメニュ画面のメニュ項目の文字データを有するＭＰＥＧ映像データ又はサブピクチャデータを解析するよりも遙かに容易に、メニュ項目と重なることなくオンスクリーン表示をメインメニュ画面上に表示することが可能になる。よって、映画のメインメニュ画面上にチャプタ選択又は字幕選択等のメニュ項目が表示されている場合に、音量調節バー等のオンスクリーン表示を表示しても、音量調節バーがメニュ項目に重なってユーザがメニュ項目を見づらくなることもなく、見やすい表示画面をより簡単な処理によりユーザに提供することが可能になる。
【００４０】
また、本発明の映像処理装置によれば、ハイライト及びオンスクリーン表示の表示位置をそれぞれ表示領域毎に取得し、オンスクリーン表示がハイライトに重ならないようにオンスクリーン表示の表示位置を表示領域毎に変更できるので、表示位置の取得処理及び変更処理をより容易に且つ早く実行することが可能になる。よって、ハイライトが重ねられるメニュ項目を有するメインメニュ画面上にオンスクリーン表示を頻繁に表示する場合であっても、迅速にオンスクリーン表示の表示位置を設定することができ、常に見やすい表示画面をユーザに提供することが可能になる。
【００４１】
さらに、本発明の映像処理装置によれば、表示画面上の複数の表示領域に対して、ハイライトが表示される頻度等を表示領域毎に考慮して予め優先順位を付けておくことにより、オンスクリーン表示がハイライトに重ならないように、つまり、オンスクリーン表示がメインメニュ画面のメニュ項目に重ならないように、オンスクリーン表示の表示領域をより容易に且つ早く変更することができる。
【００４２】
本発明のＤＶＤビデオ装置によれば、ハイライトの位置データを有するハイライトデータを解析することにより、ハイライトが重ねられるメインメニュ画面のメニュ項目の文字データを有するＭＰＥＧ映像データ又はサブピクチャデータを解析するよりも遙かに容易に、メニュ項目と重なることなくオンスクリーン表示をメインメニュ画面上に表示することが可能になる。よって、見やすい表示画面をより簡単な処理によりユーザに提供することが可能になる。
【図面の簡単な説明】
【図１】本発明の実施形態におけるＤＶＤプレーヤ１の全体構成の概略を示すブロック図である。
【図２】ＤＶＤプレーヤ１に接続される映像表示装置の表示画面に表示されるデータを模式的に示した図である。
【図３】ＤＶＤプレーヤ１に接続される映像表示装置の表示画面２が複数の表示領域に分割されている画面例である。
【図４】映像表示装置の表示画面２にメインメニュ画面のメニュ項目、ハイライト及びＯＳＤが表示されている画面例である。
【図５】ＤＶＤプレーヤ１によるＯＳＤの表示位置制御処理に係る動作の一例を示すフローチャートである。
【符号の説明】
１    ＤＶＤプレーヤ
１０    チューナ
１１    ビデオコンバータ
１２    ＤＡＣ
１３    ＡＶデコーダ
１４    ＳＤＲＡＭ
１５    ＡＴＡＰＩ
１６    ＳＤＲＡＭ
１７    ディスクドライブ
１７ａ    ディスクモータ
１７ｂ    ヘッド部
１８    主制御部
１９    フラッシュメモリ
２０    ＥＥＰＲＯＭ
２１    副制御部
２２    操作キー
２３    受光部
２４    表示部
２    表示画面（映像表示装置）
【図１】
0003714543.tif 000002
【図２】
0003714543.tif 000003
【図３】
0003714543.tif 000004
【図４】
0003714543.tif 000005
【図５】
0003714543.tif 000006